(57)【要約】【課題】子局の設置環境等に左右されずに、より確実に親局と子局の接続関係登録することができる方法を提供する。【解決手段】それぞれ有線接続によりメータと交信できる子局と、小電力無線を用いる特定の内線網を介して複数の子局と交信可能であり、またＰＨＳ端末を有する親局Ｏと、ＰＨＳ回線網を介して親局と交信できる検針センターとからなる自動検針システムにおける子局と親局の間の接続関係登録方法において、前記子局と有線接続Ｌを行い前記子局と交信でき、またＰＨＳ端末を有し検針センターＣと交信できる登録用携帯装置Ｈを、未登録の子局Ｋｊに一時的に接続して、接続中に親局Ｏと子局Ｋｊの接続関係を登録する。【選択図】        図１
2004312491.tif 000002
【特許請求の範囲】
【請求項１】
それぞれ有線接続によりメータと交信できる子局と、小電力無線を用いる特定の内線網を介して複数の子局と交信可能であり、またＰＨＳ端末を有する親局Ｏと、ＰＨＳ回線網を介して親局Ｏと交信できる検針センターとからなる自動検針システムにおける子局と親局Ｏの間の接続関係登録方法において、前記子局と有線接続を行い前記子局と交信でき、またＰＨＳ端末を有し検針センターと交信できる登録用携帯装置を、未登録の子局に一時的に接続して、接続中に親局Ｏと子局の接続関係を登録することを特徴とする子局と親局Ｏとの間の接続関係登録方法。
【請求項２】
前記接続中に親局Ｏと子局の接続関係登録の手順は、
・登録用携帯装置から接続した有線を通して子局に対して、既設置の親局Ｏと子局との接続関係を登録するための電文１を送出する、
・子局はこの電文１を受信後、子局の情報を有する電文２を登録用携帯装置に有線を通して送出する、
・電文２を受信した登録用携帯装置は、ＰＨＳ回線網を使用して、親局Ｏに電文２を送出する、
・この電文２を受信した親局Ｏは、この子局を交信できる子局と判定し、子局の情報を登録後、親局Ｏの子局に関する情報を電文３としてＰＨＳ回線網を利用して登録用携帯装置に送出する、
・登録用携帯装置は、電文３を子局に送出する、
・子局は電文３を受信して、子局の交信可能な親局Ｏの情報を登録して、その応答電文である電文４を登録用携帯装置に送出する、
であることを特徴とする子局と親局Ｏとの間の接続関係登録方法。
【発明の詳細な説明】
【０００１】
【発明の属する技術分野】
本発明は、ガスメータを代表とするメータ検針を行う無線機の親局Ｏと子局の接続関係を登録する方法に関する。
【０００２】
【従来の技術】
ガスメータや水道メータなどの自動検針システムは次のように構成されていることは知られている（例えば、特許文献１参照。）。
図３は自動検針システムの構成を示すブロック図である。住宅などに設置されている複数（個数＝ｎ）のメータＭｉ（ｉ＝１、・・・、ｎ）はそれぞれ子局Ｋｉ（ｉ＝１、・・・、ｎ）に有線で接続され、所定の通信手順に従って検針データを子局Ｋｉに送信する。複数の子局Ｋｉは小電力無線を用いる特定の内線網を介して交信可能である共通の親局Ｏに検針データを送信する。親局ＯはＰＨＳ端末を有し、ＰＨＳ回線網Ｐ（公衆回線網）を介して検針センターＣに複数の子局から受信した検針データを送信する。
【０００３】
メータＭｉの検針データが検針センタの所定の位置に格納されるためには、メータＭｉすなわち子局Ｋｉと親局Ｏとの間の接続関係が検針センタに登録されていなければならない。
従来の子局と親局Ｏの間の接続関係登録次のような手順で行われていた。図４は従来の子局と親局Ｏの間の接続関係登録手順を示す系統図である。手順は紙面の上から下へ、また矢印方向へ進む。新規に設置した子局を例えばＫ１とする。まず、ＰＨＳ端末等を利用して、検針センターから既設置の親局Ｏへ、親局Ｏに新規に設置した子局Ｋ１を登録するための指令の電文１を送信する。この電文１を受信した親局Ｏは、特定小電力無線の内線網を介して電文２を送出する。この電波を受信できる状態にある、すなわち接続関係未登録の子局Ｋ１は電文２を受信後、子局Ｋ１の情報である電文３を同様に内線網を介して親局Ｏに送信する。親局Ｏは電文３を受信して、新たに親局Ｏと交信可能となった子局Ｋ１の情報を登録して、その登録情報を電文４としてＰＨＳ回線網を利用して検針センターへ送っていた。
【０００４】
【特許文献１】
特開２００２−７７４２９号公報（第２頁、第１図）
【０００５】
【発明が解決しようとする課題】
上記のような、従来の親局と子局の接続関係を登録する方法では、子局の設置環境によっては、親局と子局間の特定小電力の回線の接続が不安定となる場合があり、親局と子局の接続関係の登録が正確に行われない場合があるという問題があった。
この発明の目的は、子局の設置環境等に左右されずに、より確実に親局と子局の接続関係登録することができる方法を提供することにある。
【０００６】
【課題を解決するための手段】
本発明の目的を達成するために、それぞれ有線接続によりメータと交信できる子局と、小電力無線を用いる特定の内線網を介して複数の子局と交信可能であり、またＰＨＳ端末を有する親局と、ＰＨＳ回線網を介して親局と交信できる検針センターとからなる自動検針システムにおける子局と親局の間の接続関係登録方法において、前記子局と有線接続を行い前記子局と交信でき、またＰＨＳ端末を有し検針センターと交信できる登録用携帯装置を、未登録の子局に一時的に接続して、接続中に親局と子局の接続関係を登録することとする。
【０００７】
前記接続中に親局Ｏと子局の接続関係登録の手順は、
・登録用携帯装置から接続した有線を通して子局に対して、既設置の親局Ｏと子局との接続関係を登録するための電文１を送出する、
・子局はこの電文１を受信後、子局の情報を有する電文２を登録用携帯装置に有線を通して送出する、
・電文２を受信した登録用携帯装置は、ＰＨＳ回線網を使用して、親局Ｏに電文２を送出する、
・この電文２を受信した親局Ｏは、この子局を交信できる子局と判定し、子局の情報を登録後、親局Ｏの子局に関する情報を電文３としてＰＨＳ回線網を利用して登録用携帯装置に送出する、
・登録用携帯装置は、電文３を子局に送出する、
・子局は電文３を受信して、子局の交信可能な親局Ｏの情報を登録して、その応答電文である電文４を登録用携帯装置に送出する、
であると良い。
【０００８】
【発明の実施の形態】
図１は本発明に係る自動検針システムに登録用携帯装置を接続中のブロック図である。
登録用携帯装置Ｈは子局Ｋｊに有線接続Ｌされ、子局Ｋｊを介して、従来どおりにメータＭｊと交信でき、また、ＰＨＳ端末を有し自動検針システムとＰＨＳ網を介して交信できる機能を必要とする。このような機能を有する装置は、子局を構成する回路基板、および親局Ｏを構成する回路基板およびコンピュータなどを用いて容易に作製することができる。
【０００９】
図２は本発明に係る既設置の親局Ｏと新規設置の子局の接続関係を登録する手順を示す系統図である。
新規に設置した子局Ｋｊの接続関係を登録するための手順を以下に説明する。
▲１▼まず、上記の登録用携帯装置Ｈを有線接続Ｌにより新規に設置した子局Ｋｊに接続する。
▲２▼登録用携帯装置Ｈから、有線接続Ｌを通して子局Ｋｊに対して、既設置の親局Ｏ
▲３▼Ｏと子局Ｋｊとの接続関係を登録するための電文１を送出する。
【００１０】
▲４▼子局Ｋｊはこの電文１を受信後、子局Ｋｊの情報を有する電文２を登録用携帯装置Ｈに有線を通して送出する。
▲５▼電文２を受信した登録用携帯装置Ｈは、親局Ｏと同等のインフラストラクチャであるＰＨＳ回線網を使用して、親局Ｏに電文２を送出する。
▲６▼この電文２を受信した親局Ｏは、この子局Ｋｊを交信できる子局と判定し、子局Ｋｊの情報を登録後、親局Ｏの子局Ｋｊに関する情報を応答電文である電文３としてＰＨＳ回線網を利用して登録用携帯装置Ｈに送出する。
▲７▼登録用携帯装置Ｈは、電文３を子局Ｋｊと機器間の有線の通信手順に従って子局Ｋｊに送出する。
【００１１】
▲８▼子局Ｋｊは電文３を受信して、受信した情報より、子局Ｋｊの交信可能な親局Ｏの情報を登録して、その応答電文である電文４を子局Ｋｊと機器間の有線の通信手順に従って登録用携帯装置Ｈに送出する。
▲９▼最後に、録用携帯装置Ｈの有線接続Ｌを子局Ｋｊからはずす。
以降、検針センタＣはこの登録情報に従い、ｊ番目のメータＭｊの検針データを取得することができる。
上記のように、親局Ｏと新規設置の子局の接続関係の登録を、特定小電力無線を利用しないで、環境の影響を受けにくいインフラストラクチャであるＰＨＳ回線網を利用して行うので、メータの設置環境が悪くても、登録は誤りなく確実に行うことができる。
【００１２】
【発明の効果】
本発明によれば、それぞれ有線接続によりメータと交信できる子局と、小電力無線を用いる特定の内線網を介して複数の子局と交信可能であり、またＰＨＳ端末を有する親局Ｏと、ＰＨＳ回線網を介して親局Ｏと交信できる検針センターとからなる自動検針システムにおける子局と親局Ｏの間の接続関係登録方法において、前記子局と有線接続を行い前記子局と交信でき、またＰＨＳ端末を有し検針センターと交信できる登録用携帯装置を、未登録の子局に一時的に接続して、接続中に親局Ｏと子局の接続関係を登録するようにしたため、小電力無線を用いる特定の内線網を介さずに、すなわちメータの設置環境の影響を受けずに、より確実に親局Ｏと子局の接続関係を登録することができる。
【図面の簡単な説明】
【図１】本発明に係る自動検針システムに登録用携帯装置を接続中のブロック図である。
【図２】本発明に係る既設置の親局Ｏと新規設置の子局の接続関係を登録する手順を示す系統図である。
【図３】自動検針システムの構成を示すブロック図である。
【図４】従来の子局と親局Ｏの間の接続関係登録手順を示す系統図である。
【符号の説明】
Ｍｉ（ｉ＝１〜ｎ）  ｉ番目のメータ
Ｋｉ（ｉ＝１〜ｎ）  ｉ番目のメータに接続された子局
Ｌ    有線接続
Ｍｊ  ｊ番目のメータ（新規）
Ｋｊ  ｊ番目のメータに接続された子局（新規）
Ｏ    親局Ｏ
Ｐ    ＰＨＳ回線網
Ｈ    登録用携帯装置
【図１】
2004312491.tif 000003
【図２】
2004312491.tif 000004
【図３】
2004312491.tif 000005
【図４】
2004312491.tif 000006